(57)【特許請求の範囲】
【請求項１】
搬送面を備える第１筐体と、
前記第１筐体に備えられ、前記搬送面から露出して配置される給紙ローラと、
前記第１筐体と対向して配置される第２筐体と、
前記第２筐体に備えられ、前記給紙ローラと対向する位置に配置されたリバースローラと、
前記第１筐体に備えられ、前記搬送面から露出して配置される搬送ローラと、
前記第２筐体に備えられ、前記搬送ローラに従動して回転する従動ローラと、
前記従動ローラを前記搬送ローラに付勢する付勢部材と、
前記第２筐体に備えられ、前記リバースローラと前記従動ローラとの間に配置された補助ローラと、
前記第２筐体に備えられ、前記従動ローラに対して前記補助ローラと反対側に備えられ、透明部材から形成される読取面を備える読取部と、
前記読取部に備えられ、前記読取面から前記従動ローラに向けて延びる案内面と、
を備え、
前記リバースローラと前記給紙ローラとの接点における第１接線は、前記従動ローラと前記搬送ローラとの接点における第２接線と交差し、
前記補助ローラの前記第１筐体側の底面は、前記案内面の前記従動ローラ側の先端を通る前記給紙ローラの第３接線よりも第１筐体側に位置すること
を特徴とする読取装置。
【請求項２】
前記補助ローラの前記底面は、前記給紙ローラと前記搬送ローラとの第４接線から１．４ｍｍ以内の範囲で離れていること
を特徴とする請求項１記載の読取装置。
【請求項３】
前記補助ローラの前記底面は、前記給紙ローラと前記搬送ローラとの第４接線よりも前記第２筐体側に位置すること
を特徴とする請求項１、または２記載の読取装置。
【請求項４】
前記補助ローラは、前記第２筐体に固定されていること
を特徴とする請求項１〜３のいずれか記載の読取装置。
【請求項５】
前記給紙ローラの回転軸心方向において、前記補助ローラの内側の端部が前記給紙ローラの内側の端部よりも外側に位置し、前記補助ローラの外側の端部が、前記給紙ローラの外側の端部よりも外側に位置し、前記搬送ローラの外側の端部よりも内側に位置すること
を特徴とする請求項１〜４のいずれか記載の読取装置。
【発明の詳細な説明】
【技術分野】
【０００１】
本発明は、カードなどの剛性が強い搬送物を読み取り可能な読取装置に関する。
【背景技術】
【０００２】
従来、読取装置として、用紙台、給紙ローラ、リタードローラ、第１搬送ローラ、第１従動ローラ、撮像部、第２搬送ローラ、および第２従動ローラを備える用紙搬送装置が特許文献１などにより知られている。給紙ローラと対向して配置されるリタードローラによって、用紙台において給紙ローラと接触している用紙のみが給紙される。給紙された用紙は、撮像部の上流側に配置された第１搬送ローラ、及び第１従動ローラによって、撮像部に搬送される。撮像部に搬送された用紙の表面の画像が撮像部によって読み取られる。画像が読み取られた用紙は、撮像部の下流側に配置された第２搬送ローラ、及び第２従動ローラによって用紙搬送装置の外に排紙される。また、第１従動ローラは、第１搬送ローラに付勢され、第２従動ローラは、第２搬送ローラに付勢されることも知られている。
【先行技術文献】
【特許文献】
【０００３】
【特許文献１】特開２０１４−４７０５０号公報
【発明の概要】
【発明が解決しようとする課題】
【０００４】
一般に読取装置においては、リタードローラと給紙ローラとの接点における接線を水平方向から下側に向け、水平方向に対する傾斜角度を用紙台に設けることが考えられる。これにより、用紙台に積載された用紙の自重による搬送方向への力が大きくなり、さらに下層の用紙との摩擦力が減少するため、下層の用紙は上層の用紙から容易に分離される。一方、第１従動ローラと第１搬送ローラとの接点における接線を水平方向に向け、第１搬送ローラと第２搬送ローラとの間の搬送経路を水平方向に延ばすことが考えられる。これにより、第２搬送ローラ、及び第２従動ローラによって用紙搬送装置の外に排紙された原稿が詰まりにくく、排紙を効率良く行うことができる。
【０００５】
水平方向に対する傾斜角度を用紙台に設けるとともに、撮像部付近の搬送経路を水平方向に延ばした場合、リバースローラと給紙ローラとの接点における接線は、第１従動ローラと第１搬送ローラとの接点における接線と交差する。すなわち、搬送経路が屈曲する。この屈曲した搬送経路においては、給紙ローラにより剛性が強いカードなどの用紙が、第１搬送ローラに向けて付勢されている第１従動ローラを押し上げる可能性があった。これにより、第１従動ローラが第１搬送ローラを挟持するニップ力が不足して、第１搬送ローラのスリップにより、読取画像が伸びる、または搬送が停止する可能性があった。
【０００６】
本発明は、上述した問題を解決するためになされたものであり、搬送ローラのスリップにより、読取画像が伸びる、または搬送が停止する可能性を低減する読取装置を提供することを目的とする。
【課題を解決するための手段】
【０００７】
上記目的を達成するために、請求項１記載の読取装置は、搬送面を備える第１筐体と、前記第１筐体に備えられ、前記搬送面から露出して配置される給紙ローラと、前記第１筐体と対向して配置される第２筐体と、前記第２筐体に備えられ、前記給紙ローラと対向する位置に配置されたリバースローラと、前記第１筐体に備えられ、前記搬送面から露出して配置される搬送ローラと、前記第２筐体に備えられ、前記搬送ローラに従動して回転する従動ローラと、前記従動ローラを前記搬送ローラに付勢する付勢部材と、前記第２筐体に備えられ、前記リバースローラと前記従動ローラとの間に配置された補助ローラと、前記第２筐体に備えられ、前記従動ローラに対して前記補助ローラと反対側に備えられ、透明部材から形成される読取面を備える読取部と、前記読取部に備えられ、前記読取面から前記従動ローラに向けて延びる案内面と、を備え、前記リバースローラと前記給紙ローラとの接点における第１接線は、前記従動ローラと前記搬送ローラとの接点における第２接線と交差し、前記補助ローラの前記第１筐体側の底面は、前記案内面の前記従動ローラ側の先端を通る前記給紙ローラの第３接線よりも第１筐体側に位置することを特徴とする。
【０００８】
また、前記補助ローラの前記底面は、前記給紙ローラと前記搬送ローラとの第４接線から１．４ｍｍ以内の範囲で離れていてもよい。
【０００９】
また、前記補助ローラの前記底面は、前記給紙ローラと前記搬送ローラとの第４接線よりも前記第２筐体側に位置してもよい。
【００１０】
また、前記補助ローラは、前記第２筐体に固定されていてもよい。
【００１１】
また、前記給紙ローラの回転軸心方向において、前記補助ローラの内側の端部が前記給紙ローラの内側の端部よりも外側に位置し、前記補助ローラの外側の端部が、前記給紙ローラの外側の端部よりも外側に位置し、前記搬送ローラの外側の端部よりも内側に位置してもよい。
【００１２】
本発明によれば、リバースローラと給紙ローラとの接点における第１接線が、従動ローラと搬送ローラとの接点における第２接線と交差し、補助ローラの第１筐体側の底面は、案内面の従動ローラ側の先端を通る給紙ローラの第３接線よりも第１筐体側に位置する。これにより、先端が搬送ローラと従動ローラとにより挟持され、後尾が給紙ローラとリバースローラに挟持された状態において、補助ローラの底面が、剛性が強い用紙と接触し、剛性が強い用紙が屈曲に対して反発するように変形しようとする力を受けるので、剛性が強い用紙が従動ローラを反付勢方向に押す力を低減できる。この結果、搬送ローラのスリップにより、読取画像が伸びる、または搬送が停止する可能性を低減することができる。
【図面の簡単な説明】
【００１３】
【図１】読取装置１の斜視図である。
【図２】第２筐体１２が取り外された読取装置１の斜視図である。
【図３】給紙ローラ４１、リバースローラ４６、及び押圧機構５０等の斜視図である。
【図４】駆動機構７０の斜視図である。
【図５】図２に示す中心線１１Ｃより右方向にわずかにずれた位置における読取装置１の断面図である。
【図６】図５に示す断面図の拡大図である。
【図７】剛性が強い用紙が搬送された状態を示す説明図である。
【図８】給紙ローラ４１と第２案内面９３２Ｂとの関係を説明する説明図である。
【図９】補助ローラ９０と分離ローラ４１と搬送ローラ９１との位置関係を示す模式的な説明図である。
【発明を実施するための形態】
【００１４】
＜１．読取装置１の概略構成＞
本開示を具現化した実施形態について、図面を参照して説明する。図１及び図２に示すように、読取装置１は、筐体１０、給紙トレイ１６、及び、排紙トレイ１８を備えている。図２においては、筐体１０のうち後述する第２筐体１２が省略されている。以下の説明においては、図１の上側、下側、左方斜め上側、右斜め下側、左斜め下側、及び右斜め上側を、夫々、読取装置１の上側、下側、左側、右側、前側、及び、後側とする。
【００１５】
図１に示すように、筐体１０は、第１筐体１１及び第２筐体１２を有する。第１筐体１１及び第２筐体１２の夫々の形状は、略箱状である。図２に示すように、第１筐体１１は上面１１Ａを有する。上面１１Ａは、後側から前側に向かうに従って下側に傾斜する。第１筐体１１は支持部材１１Ｂを有する。支持部材１１Ｂは、上面１１Ａのうち左右方向の中央且つ後側の一部を形成する。支持部材１１Ｂは、後述する給紙ローラ４１及びセットガイド８６の周囲に配置されている。第１筐体１１は、上面１１Ａの下端部の左右方向の両端部で、第２筐体１２の下端部を回転可能に支持する。第２筐体１２は、下端部に沿って左右方向に延びる仮想的な直線を中心として回転可能である。上面１１Ａが本発明の搬送面の一例である。
【００１６】
以下の説明においては、上面１１Ａの左右方向の中心を通り、且つ、上面１１Ａに沿って延びる仮想的な直線を、中心線１１Ｃという。特段の限定がない限り、時計回り及び反時計回りは、右側から見た場合における回転方向を示す。
【００１７】
図１に示すように、第２筐体１２は、筐体１０の上側の面を形成する上側面１２Ｂを有する。上側面１２Ｂには、ディスプレイ１２１及び操作部１２２が設けられている。操作部１２２は、読取装置１に対して指示を入力することが可能な、複数の押ボタンである。ディスプレイ１２１及び操作部１２２は、制御部１３１と電気的に接続する。制御部１３１は、例えば、第２筐体１２のうち上側面１２Ｂの裏側に配置されている。制御部１３１は、読取装置１を制御するＣＰＵ、及びＣＰＵが画読取装置１を制御するためのプログラムを記憶する記憶部等を含む。
【００１８】
第２筐体１２の上端と図２に示す上面１１Ａとは、夫々によって挟まれた部分に給紙口１０Ａを形成する。第２筐体１２の下端と図２に示す上面１１Ａとは、夫々によって挟まれた部分に排紙口１０Ｂを形成する。後述する第２筐体１２の下面１２Ａと上面１１Ａとは、夫々によって挟まれた部分に図２及び図５に示す搬送経路２０を形成する。すなわち、第２筐体１２は、第１筐体１１と上下方向に対向して配置される。搬送経路２０は、給紙口１０Ａ及び排紙口１０Ｂによって筐体１０の外側と繋がる。
【００１９】
図１及び図２に示すように、給紙トレイ１６は、給紙部１６１、１６２、１６３を有する。給紙部１６１〜１６３の形状は、略板状である。給紙部１６１は、第１筐体１１のうち給紙口１０Ａの後側から、後方斜め上側に向けて延びる。給紙部１６１の上側の面を、トレイ面１７１という。給紙部１６１のトレイ面１７１の左部及び右部には、ガイド１６５が設けられている。ガイド１６５は、トレイ面１７１に沿って左右方向に移動可能である。ガイド１６５は、給紙部１６１に載置された用紙の左右方向の位置を、左右方向の中心に揃える。給紙部１６２は、給紙部１６１の上側の端部から、後方斜め上側に向けて延びる。給紙部１６３は、給紙部１６２の上側の端部から、後方斜め上側に向けて延びる。給紙部１６２，１６３は、後斜め上側と前斜め下側とに移動可能である。
【００２０】
図１に示すように、排紙トレイ１８は、排紙部１８１、１８２、１８３を有する。排紙部１８１〜１８３の形状は、略板状である。排紙部１８１は、第１筐体１１のうち排紙口１０Ｂの下側から、前側に向けて延びる。排紙部１８２は、排紙部１８１の前側の端部から、前側に向けて延びる。排紙部１８３は、排紙部１８２の前側の端部から、前側に向けて延びる。排紙部１８１〜１８３は、前後方向に移動可能である。
【００２１】
図２に示すように、第１筐体１１には、給紙ローラ４１１、４１２、搬送ローラ９１１、９１２、及び、排紙ローラ９２１、９２２が設けられている。以下の説明においては、給紙ローラ４１１，４１２を総称して給紙ローラ４１という場合がある。搬送ローラ９１１，９１２を総称して搬送ローラ９１という場合がある。排紙ローラ９２１，９２２を総称して排紙ローラ９２という場合がある。給紙ローラ４１、搬送ローラ９１、及び、排紙ローラ９２は、上面１１Ａに沿って後方斜め上側から前方斜め下側に順番に並ぶ。給紙ローラ４１１、搬送ローラ９１１、および排紙ローラ９２１は、中心線１１Ｃよりも左側に配置されている。給紙ローラ４１２、搬送ローラ９１２、および排紙ローラ９２２は、中心線１１Ｃよりも右側に配置されている。
【００２２】
画像読取部９３は、周知の接触型イメージセンサである。画像読取部９３は、第１筐体１１の第１上面１１Ａのうち、搬送ローラ９１と排紙ローラ９２との間に設けられている。画像読取部９３は、図１に示す制御部１３１と電気的に接続する。画像読取部９３は、給紙方向に向けて搬送される用紙の画像を読み取る。画像読取部９３は、読み取った画像のデータを、制御部１３１に出力する。
【００２３】
給紙ローラ４１について説明する。図３に示すように、給紙ローラ４１１，４１２の軸方向は、左右方向を向く。給紙ローラ４１１、４１２は略同一形状を有する。図３及び図４に示すように、給紙ローラ４１における右側から見て中央部には、給紙ローラ４１の回転軸である軸部材４２が挿通されている。
【００２４】
図３に示すように、軸部材４２の中心に沿って左右方向に延びる仮想的な直線を仮想線４２Ｐという。給紙ローラ４１は、軸部材４２の回転に応じて、仮想線４２Ｐを回転軸心として給紙方向に回転する。すなわち、給紙ローラ４１の回転軸心方向は、左右方向である。図２、および図５に示すように、給紙ローラ４１の一部は、第１筐体１１の上面１１Ａより上側に突出して、上面１１Ａから露出する。
【００２５】
搬送ローラ９１、および排紙ローラ９２について説明する。図２に示すように、搬送ローラ９１、および排紙ローラ９２の軸方向は、左右方向を向く。搬送ローラ９１１、９１２、９２１、９２２は略同一形状を有する。搬送ローラ９１における右側から見て中央部には、搬送ローラ９１の回転軸である図４に示す軸部材９１Ａが挿通されている。排紙ローラ９２における右側から見て中央部には、図４に示す排紙ローラ９２の回転軸である軸部材９２Ａが挿通されている。搬送ローラ９１，および排紙ローラ９２は、図４に示す後述する第２モータ７２の駆動軸７２５の回転に応じて回転する。図２、および図５に示すように、搬送ローラ９１、および排紙ローラ９２の一部は、第１筐体１１の上面１１Ａから、上面１１Ａより上側に突出して上面１１Ａから露出する。以下の説明においては、上面１１Ａに直交する方向において、第２筐体１２から第１筐体１１に向かう方向を第１方向といい、第１筐体１１から第２筐体１２に向かう方向を第２方向という。
【００２６】
図３に示すように、給紙ローラ４１１，４１２に対して第２方向側に、リバースローラ４６１，４６２が配置されている。すなわち、図５に示すように、リバースローラ４６は、給紙ローラ４１と対向して第２筐体１２に備えられる。図３に示すように、リバースローラ４６１，４６２は、互いに略同一形状を有する。リバースローラ４６の軸方向は左右方向を向く。以下の説明において、リバースローラ４６１、４６２を総称する場合は、「リバースローラ４６」と記載する。
【００２７】
図３に示すように、リバースローラ４６における右側から見て中央部には、リバースローラ４６の回転軸である軸部材４７が配置されている。軸部材４７は、図１に示す第２筐体１２に回転可能に支持されている。図３に示すように、リバースローラ４６は、トルクリミッタ４８２を介して軸部材４７に接続されている。軸部材４７の右側の端部に、ギヤ４８１が接続されている。軸部材４７は、図４に示す後述する第２モータ７２の駆動軸７２５の回転に応じて回転する。
【００２８】
リバースローラ４６の一部は、第２筐体１２の下面１２Ａから突出する。図３に示すように、リバースローラ４６１，４６２は、夫々、給紙ローラ４１１，４１２に接触する。リバースローラ４６１，４６２は、図示しない付勢部材によって付勢され、給紙ローラ４１１，４１２に押し付けられている。以下の説明においては、軸部材４７の中心に沿って左右方向に延びる図３に示す仮想的な直線を、「仮想線４７Ｐ」という。リバースローラ４６は、軸部材４７の回転に応じて、仮想線４７Ｐを回転軸心として回転する。リバースローラ４６は、図４に示す後述する第１モータ７１の駆動力によって給紙方向及び反給紙方向に回転可能である。
【００２９】
＜２．駆動機構７０の構造＞
図４に示すように、駆動機構７０は、第１モータ７１、第２モータ７２、伝達機構７１Ａ、７２Ａ、７３、７４を備えている。第１モータ７１、第２モータ７２、及び、伝達機構７１Ａ、７２Ａ、７３は、第１筐体１１内に設けられている。伝達機構７４は、第２筐体１２内に設けられている。
【００３０】
第１モータ７１は、第１筐体１１内の右部に設けられている。第１モータ７１の駆動軸は右側に延びる。伝達機構７１Ａは、ギヤ７１１、７１２、７１３等、図示しないベルト、及び軸部材４２を有する。ギヤ７１１〜７１３、及び、ベルトは、第１モータ７１の右側に配置され、第１モータ７１の駆動軸が回転することに応じて回転する。ギヤ７１３は、軸部材４２の右側の端部に接続されている。第１モータ７１の駆動力は、伝達機構７１Ａを介して給紙ローラ４１に伝達される。すなわち、伝達機構７１Ａは、給紙ローラ４１に給紙方向に回転する駆動力を伝達可能である。
【００３１】
第２モータ７２は、第１筐体１１の左部に設けられている。第２モータ７２の駆動軸７２５は左側に延びる。後述するが、駆動軸７２５が逆転方向に回転すると、搬送ローラ９１、９２が給紙方向に回転し、リバースローラ４６が反給紙方向に回転する。
【００３２】
伝達機構７２Ａは、第２モータ７２の左側に設けられている。伝達機構７２Ａは、ギヤ７２１、７２２等、及び、ベルト７２３を備えている。ベルト７２３は、ギヤ７２１、７２２間に架け渡されている。ギヤ７２１、７２２等、及び、ベルト７２３は、第２モータ７２の駆動軸７２５が回転することに応じて回転する。
【００３３】
ギヤ７２１は、搬送ローラ９１の軸部材９１Ａの左側の端部に接続されている。ギヤ７２２は、排紙ローラ９２の軸部材９２Ａの左側の端部に接続されている。第２モータ７２の駆動力は、伝達機構７２Ａを介して軸部材９１Ａ、９２Ａに伝達される。従って、搬送ローラ９１，９２は、第２モータ７２の回転に応じて回転する。
【００３４】
伝達機構７３は、ギヤ７３Ａ、７３Ｂ、７３Ｃ、７３Ｄを有する。ギヤ７３Ａ及びギヤ７３Ｂ、ギヤ７３Ｂ及びギヤ７３Ｃ、ギヤ７３Ｃ及びギヤ７３Ｄは、夫々互いに噛み合う。ギヤ７３Ａは、搬送ローラ９１の軸部材９１Ａの右側の端部に接続されている。ギヤ７３Ａ〜７３Ｄは、軸部材９１Ａが回転することに応じて回転する。
【００３５】
伝達機構７４は、ギヤ７４Ａ、７４Ｂ、７４Ｃ、７４Ｄ、７４Ｅ、４７１，４７２，４８１、及び、トルクリミッタ４８２を有する。ギヤ７４Ａは、第２筐体１２が図１に示す閉位置に配置された状態で、伝達機構７３のギヤ７３Ｄに噛み合う。ギヤ７４Ａは、第２筐体１２が図示しない開位置に配置された状態で、伝達機構７３のギヤ７３Ｄに対して離れる。以下の説明においては、第２筐体１２が閉位置に配置されていることを前提とする。ギヤ７４Ａ及びギヤ７４Ｂ、ギヤ７４Ｂ及びギヤ７４Ｃ、ギヤ７４Ｃ及びギヤ７４Ｄ、ギヤ７４Ｄ及びギヤ７４Ｅは、夫々互いに噛み合う。図３に示すギヤ４７１及び４７２、４７２及び４８１は、夫々互いに噛み合う。ギヤ４７１の回転軸４７０は、右方に延び、伝達機構７４に含まれる図示しないギヤに接続されている。
【００３６】
ギヤ７４Ｂは、伝達機構７４に含まれる図示しないギヤ、ギヤ４７１．ギヤ４７２、ギヤ４８１、及び、トルクリミッタ４８２を介して、リバースローラ４６の図３に示す軸部材４７に接続する。第２モータ７２の駆動力は、伝達機構７２Ａ、軸部材９１Ａ、伝達機構７３、ギヤ７４Ａ、７４Ｂ、４８１、及び、トルクリミッタ４８２を介して、リバースローラ４６に伝達される。
【００３７】
第２モータ７２の駆動軸７２５が逆転方向に回転すると、第２モータ７２の駆動力が図３に示す軸部材４７に伝達され、リバースローラ４６が反時計回り、すなわち反給紙方向に回転する。第２モータ７２の駆動軸７２５が正転方向に回転すると、第２モータ７２の駆動力が図３に示す軸部材４７に伝達され、リバースローラ４６が時計回り、すなわち給紙方向に回転する。
【００３８】
トルクリミッタ４８２は、リバースローラ４６に対して所定の閾値未満の回転トルクが作用している状態で、軸部材４７とリバースローラ４６とを接続する。一方、トルクリミッタ４８２は、リバースローラ４６に対して所定の閾値以上の回転トルクが作用している状態で、軸部材４７とリバースローラ４６とを切断する。
【００３９】
図５は、図２に示す中心線１１Ｃに平行に、給紙ローラ４１を通る位置における読取装置１の断面図である。図５に示すように、搬送ローラ９１に対向する位置に、従動ローラ９５が設けられている。従動ローラ９５は、第２筐体１２に備えられ、コイルばね９５１により搬送ローラ９１に向けて付勢される。コイルばね９５１は、一端が軸部材９１Ａに接続し、他端が第２筐体１２に固定されている。コイルばね９５１により搬送ローラ９１に接触する従動ローラ９５は、搬送ローラ９１の回転に従動して回転する。コイルばね９５１は、本発明の付勢部材の一例であり、板ばねなどの他の付勢部材であっても構わない。
【００４０】
排紙ローラ９２に対向する位置に、従動ローラ９６が設けられている。従動ローラ９６は、第２筐体１２に備えられ、コイルばね９６１により排紙ローラ９２に向けて付勢される。コイルばね９６１は、一端が軸部材９２Ａに接続し、他端が第２筐体１２に固定されている。コイルばね９６１により排紙ローラ９２に接触する従動ローラ９６は、排紙ローラ９２の回転に従動して回転する。コイルばね９６１は、板ばねなどの他の付勢部材であっても構わない。
【００４１】
リバースローラ４６と従動ローラ９５との間の第２筐体１２に補助ローラ９０が設けられる。補助ローラ９０の詳細は後述する。
【００４２】
画像読取部９３は、第１読取部９３Ａと第２読取部９３Ｂとを備える。第１読取部９３Ａは、搬送ローラ９１と排紙ローラ９２との間の第１筐体１１に備えられる。第２読取部９３Ｂは、従動ローラ９５と従動ローラ９６との間の第２筐体１２に備えられる。すなわち、第２読取部９３Ｂは、従動ローラ９５に対して補助ローラ９０と反対側に備えられる。第１読取部９３Ａと第２読取部９３Ｂはそれぞれ、透明部材から形成される第１読取面９３１Ａと第２読取面９３１Ｂを備える。透明部材は、ガラスなどの透明な材料であればよい。第１読取面９３１Ａと第２読取面９３１Ｂとは、搬送経路２０の一部を形成する。第２読取部９３Ｂが本発明の読取部の一例である。第２読取面９３１Ｂが本発明の読取面の一例である。
【００４３】
第１読取部９３Ａは第１案内面９３２Ａを備える。第１案内面９３２Ａは、第１読取面９３１Ａから搬送ローラ９１に向けて延びる。第２読取部９３Ｂは第２案内面９３２Ｂを備える。第２案内面９３２Ｂは、第２読取面９３１Ｂから従動ローラ９５に向けて延びる。第２案内面９３２Ｂが本発明の案内面の一例である。
【００４４】
図６に示すように、第１接線Ｌ１は第２接線Ｌ２と交差する。第１接線Ｌ１は、リバースローラ４６と給紙ローラ４１との接点Ｐ１における接線である。第２接線Ｌ２は、従動ローラ９５と搬送ローラ９１との接点Ｐ２における接線である。
【００４５】
＜３．読取装置１の動作＞
読取装置１の動作の一例を説明する。読取装置１の電源が投入されると、図１に示す制御部１３１のＣＰＵは、ＲＯＭに記憶されている制御プログラムを読み出し、ＲＡＭに展開する。制御部１３１のＣＰＵが、制御プログラムに基づいて処理を実行することで、制御部１３１が読取装置１を制御する。
【００４６】
使用者によって図１に示す操作部１２２が操作され、または図示しないＰＣなどの処理装置からの用紙の読み取りを開始する指示が入力され、制御部１３１に検出された場合について説明する。読み取りを開始する指示を検出した制御部１３１は、読取装置１を制御して読取動作を行う。読取動作においては、制御部１３１は、第２モータ７２の駆動軸７２５を逆転方向に回転させる。第２モータ７２の駆動軸が逆転方向に回転すると、リバースローラ４６が反給紙方向に回転し、搬送ローラ９１、および排紙ローラ９２が給紙方向に回転する。制御部１３１は、第１モータ７１の駆動軸を回転させ、給紙ローラ４１を給紙方向に回転させる。これによって、分離機能が作動し、用紙の読み取りが行われる。
【００４７】
伝達機構７２Ａのギヤ７２２のワンウェイクラッチは、第２モータ７２の駆動軸７２５が逆転方向に回転したときに、第２モータ７２の駆動力を、軸部材９２Ａに伝達させる。このため、排紙ローラ９２は反時計回り、すなわち給紙方向に回転する。また、伝達機構７２Ａのギヤ７２１は、第２モータ７２の駆動軸７２５が逆転方向に回転したときに、軸部材９１Ａを反時計回りに回転させる。このため、第２モータ７２の駆動力は軸部材９１Ａに伝達され、搬送ローラ９１は給紙方向に回転する。
【００４８】
第２モータ７２の駆動力は、伝達機構７２Ａ、軸部材９１Ａ、伝達機構７３、及び伝達機構７４のギヤ７４Ａ、７４Ｂ、ギヤ４８１を介して軸部材４７に伝達される。リバースローラ４６は反給紙方向に回転する。
【００４９】
制御部１３１は、第１モータ７１の駆動軸を回転させる。伝達機構７１Ａは、第１モータ７１の駆動力を、軸部材４２に伝達する。これによって、給紙ローラ４１は給紙方向に回転する。この時、搬送経路２０に沿って給紙方向に移動する複数の用紙のうち最下層の用紙に、給紙ローラ４１が接触する。給紙ローラ４１及びリバースローラ４６の回転によって、複数の用紙から最下層の用紙が１枚分離され、給紙方向側に移動する。
【００５０】
本実施形態において、図６に示すように、リバースローラ４６と給紙ローラ４１との接点Ｐ１における接線Ｌ１を重力方向に向け、前後方向に対する傾斜角度を給紙トレイ１６に設けているので、給紙トレイ１６に積載された用紙の自重による搬送方向への力が大きくなり、さらに下層の用紙との摩擦力が減少するため、下層の用紙は上層の用紙から容易に分離される。
【００５１】
本実施形態において、排紙ローラ９２、及び従動ローラ９６によって読取装置１の外に排紙された原稿が詰まりにくくさせるために、搬送ローラ９１と従動ローラ９５との接点Ｐ２における接線Ｌ２を前後方向に向け、搬送ローラ９１と排紙ローラ９２との間の搬送経路２０を前後方向に延ばしている。以上により、図６に示すように、接線Ｌ１と接線Ｌ２とは交差している。よって、１枚分離された最下層の用紙は、図６に示す接線Ｌ１に沿って給紙され、先端が上面１１Ａに当接する。尚、実際は、用紙の自重によって搬送ローラ９１に向かうにつれて、用紙の軌跡は、接線Ｌ１から上面１１Ａに向けて離れる。
【００５２】
先端が上面１１Ａに当接した後、給紙ローラ４１によって先端が上面１１Ａに沿って用紙が移動する。そして、用紙の先端が搬送ローラ９１と従動ローラ９５とのニップ点、すなわち接点Ｐ２を通過し、第１読取部９３Ａの第１案内面９３２Ａに当接する。この時、搬送ローラ９１により搬送される用紙が、剛性が強いカードなどの用紙であった場合、図７に示すように、剛性が強い用紙は、給紙ローラ４１と搬送ローラ９１との接線Ｌ４に沿って配置される。搬送ローラ９１によって搬送される用紙が自重により垂れ下がった場合においても、第１読取面９３１Ａと第２読取面９３１Ｂとの間に搬送させるため、第１案内面９３２Ａは、図６に示すように搬送ローラ９１に向かうにつれて接線Ｌ２から遠ざかるように傾斜している。第１案内面９３２Ａが傾斜していることにより、図７に示す接線Ｌ４に沿って配置され、第１読取面９３１Ａに当接した剛性が強い用紙は、接線Ｌ２に沿うように搬送される。この時、剛性が強い用紙は、先頭付近においては、搬送ローラ９１により接線Ｌ２方向に搬送力を受け、後尾付近においては、給紙ローラ４１により接線Ｌ１方向に搬送力を受けるので、下に凸になるように屈曲する。剛性が強い用紙は、屈曲に対して反発するように変形しようとするので、従動ローラ９５をコイルばね９５による付勢方向と反対方向である反付勢方向に押す。この結果、従動ローラ９５が搬送ローラ９１を挟持するニップ力が不足して、搬送ローラ９１のスリップにより、画像読取部９３により読み取られる画像が伸びる、または搬送が停止する可能性があるが、本実施形態においては、補助ローラ９０が読取装置１に備えられるので、これら不具合が生じる可能性を低減させている。以下、詳細に説明する。
【００５３】
補助ローラ９０は、図７に示すように、接線Ｌ４に沿って搬送される用紙の上面に接触している。例えば、補助ローラ９０の第１筐体１１側の底面９０Ｌは、接線Ｌ４からＨ１の範囲で離れていることが望ましい。Ｈ１は例えば、１．４ｍｍである。これは、剛性の強い用紙は、エンボス部分も含めると、剛性の強い用紙の厚みが、おおよそ１．４ｍｍであるためである。この範囲に配置された底面９０Ｌが、剛性が強い用紙が屈曲に対して反発するように変形しようとする力を受けるので、剛性が強い用紙が従動ローラ９５を反付勢方向に押す力を低減できる。
【００５４】
底面９０Ｌが、接線Ｌ４よりも第１筐体１１側に位置すると、剛性の強い用紙を下に凸になるように屈曲させるので、剛性の強い用紙に変形、または破損などのダメージを生じさせる可能性がある。本実施形態においては、図７に示すように、補助ローラ９０の第１筐体１１側の底面９０Ｌは、接線Ｌ４よりも第２筐体１２側に位置する。これにより、剛性の強い用紙に変形、または破損などのダメージを生じさせる可能性を低減させている。
【００５５】
補助ローラ９０における右側から見て中央部には、図６に示す補助ローラ９０の回転軸である軸部材９０Ｓが挿通されている。軸部材９０Ｓは、第２筐体１２に固定されているので、補助ローラ９０は、第２筐体１２に対して固定されている。図７に示す状態において、底面９０Ｌが、剛性が強い用紙が屈曲に対して反発するように変形しようとする力を受け、剛性が強い用紙が従動ローラ９５を反付勢方向に押す力を低減させるためには、コイルばね９５１が付勢方向に従動ローラ９５を付勢する付勢力よりも補助ローラ９０が同方向に付勢する付勢力が大きいのが望ましい。本実施形態においては、軸部材９０Ｓが第２筐体１２に固定されているので、より簡易な構成でコイルばね９５１の付勢力よりも、補助ローラ９０の付勢力を大きくさせることが出来る。
【００５６】
搬送ローラ９１により搬送される剛性が強い用紙は第１読取部９３Ａの第１案内面９３２Ａと第２読取部９３Ｂの第２案内面９３２Ｂとの間に搬送される必要がある。このため、図８に示すように、補助ローラ９０の第１筐体１１側の底面９０Ｌは、接線Ｌ３よりも第１筐体１１側に位置する。接線Ｌ３は、第２案内面９３２Ｂの従動ローラ９５側の先端９３３Ｂを通る給紙ローラ４１の接線である。底面９０Ｌが接線Ｌ３よりも第１筐体１１側に位置するので、剛性が強い用紙は、接線Ｌ３よりも第２筐体１２側位置する可能性を低減できる。すなわち、剛性が強い用紙の先端が搬送ローラ９１と従動ローラ９５とにより挟持され、後尾が給紙ローラ４１とリバースローラ４６に挟持された状態において、補助ローラ９０の底面９０Ｌが、接線Ｌ３よりも第１筐体１１側に位置するので、剛性が強い用紙と接触し、剛性が強い用紙が屈曲に対して反発するように変形しようとする力を受ける。従って、剛性が強い用紙が従動ローラを反付勢方向に押す力を低減できる。この結果、搬送ローラのスリップにより、読取画像が伸びる、または搬送が停止する可能性を低減することができる。
【００５７】
尚、剛性が強い用紙は、例えば、プラスチックカード、キャッシュカード、会員証又は免許証等である。この用紙の短辺の長さは、例えば、国際標準化機構（ＩＳＯ）／国際電気標準会議（ＩＥＣ）による国際規格ＩＤ−１の５３．９８ｍｍである。この用紙の長辺の長さは、例えば、国際標準化機構（ＩＳＯ）／国際電気標準会議（ＩＥＣ）による国際規格ＩＤ−１の８５．６０ｍｍである。また、この用紙の厚みは、例えば、国際標準化機構（ＩＳＯ）／国際電気標準会議（ＩＥＣ）による国際規格ＩＤ−１の０．７６ｍｍである。
【００５８】
従動ローラ９５は、図示しない従動ローラ９５１と従動ローラ９５２とを備える。従動ローラ９５１は、図２に示す搬送ローラ９１１と対向し、従動ローラ９５２は、搬送ローラ９１２と対向する。図９に示すように補助ローラ９０は、補助ローラ９０１と補助ローラ９０２とを備える。補助ローラ９０１は、中心線１１Ｃに対して左側の第２筐体１２に設けられ、補助ローラ９０２は、中心線１１Ｃに対して右側の第２筐体１２に設けられる。尚、図９においては、上面１２Ａに射影した給紙ローラ４１、補助ローラ９０、および搬送ローラ９１の位置が示されている。
【００５９】
図９を参照して、中心線１１Ｃに対する給紙ローラ４１２、補助ローラ９０２、搬送ローラ９１２の位置関係を説明する。尚、中心線１１Ｃに対する給紙ローラ４１１、補助ローラ９０１、搬送ローラ９１１の位置関係は、中心線１１Ｃに対する給紙ローラ４１２、補助ローラ９０２、搬送ローラ９１２の位置関係と同じである。距離Ｌ１は、給紙ローラ４１２の左端４１２Ｌから中心線１１Ｃまでの距離を示す。距離Ｌ２は、給紙ローラ４１２の右端４１２Ｒから中心線１１Ｃまでの距離を示す。距離Ｌ３は、補助ローラ９０２の左端９０２Ｌから中心線１１Ｃまでの距離を示す。距離Ｌ４は、給紙ローラ４１２の右端４１２Ｒから中心線１１Ｃまでの距離を示す。距離Ｌ５は、搬送ローラ９１２の左端９１２Ｒから中心線１１Ｃまでの距離を示す。距離Ｌ６は、搬送ローラ９１２の右端９１２Ｒから中心線１１Ｃまでの距離を示す。尚、左端４１２Ｌ、９０２Ｌ、９１２Ｌは左右方向における内側の端部であり、右端４１２Ｒ、９０２Ｒ、９１２Ｒは左右方向における外側の端部である。
【００６０】
図９に示すように、補助ローラ９０２の左端９０２Ｌは、給紙ローラ４１２の左端４１２Ｌよりも右側に位置する。すなわち、距離Ｌ３は距離Ｌ１より大きい。また、補助ローラ９０２の右端９０２Ｒは、給紙ローラ４１２の右端４１２Ｒよりも右側に位置し、搬送ローラ９１２の右端９１２Ｒよりも左側に位置する。すなわち、距離Ｌ４は、距離Ｌ２より大きく、距離Ｌ６より小さい。これにより、給紙ローラ４１１、４１２により中心線１１Ｃに沿って搬送される剛性が強い用紙は、給紙ローラ４１２、補助ローラ９０２、および搬送ローラ９１２と左右方向にバランス良く接触されるので、剛性が強い用紙が、左右方向に変形する可能性を低減できる。
【００６１】
また、より左右方向にバランス良く用紙と接触させるため、補助ローラ９０２の左端９０２Ｌは、給紙ローラ４１２の左端４１２Ｌと右端４１２Ｒとの中心４１２Ｃよりも右側に位置するのが望ましい。また、補助ローラ９０２が、国際規格ＩＤ−１の用紙と接触させるため、距離Ｌ３は、２７ｍｍ（≒５３．９８ｍｍ／２）より小さいのが望ましい。
【００６２】
搬送ローラ９１は、給紙方向に移動する用紙に下側から接触し、用紙を給紙方向に更に搬送する。搬送ローラ９１の給紙方向に配置された画像読取部９３（図２参照）により、用紙の両面の画像が読み取られる。画像読取部９３の出力信号は、制御部１３１に伝達され、データ化される。排紙ローラ９２、および従動ローラ９６は、画像読取部９３を通過した用紙に接触し、用紙を給紙方向に更に搬送する。用紙は、図１に示す排紙口１０Ｂから筐体１０の外部に排出され、排紙トレイ１８に載置される。
【符号の説明】
【００６３】
１      読取装置
１０    筐体
１１    第１筐体
１１Ａ  上面（搬送面）
１２    第２筐体
１２Ａ  下面
１３１  制御部
２０    搬送経路
４１    給紙ローラ
４２    軸部材
４６    リバースローラ
４７    軸部材
９０    補助ローラ
９１    搬送ローラ
９２    排紙ローラ
９３    画像読取部
９３１Ａ  第１読取面
９３２Ａ  第１案内面
９３Ｂ  第２読取部
９３１Ｂ  第２読取面
９３２Ｂ  第２案内面
９３３Ｂ  先端
９５    従動ローラ
９５１  コイルばね
【図１】
0006376012.tif 000002
【図２】
0006376012.tif 000003
【図３】
0006376012.tif 000004
【図４】
0006376012.tif 000005
【図５】
0006376012.tif 000006
【図６】
0006376012.tif 000007
【図７】
0006376012.tif 000008
【図８】
0006376012.tif 000009
【図９】
0006376012.tif 000010